(57)【要約】【課題】小さな空間構成で脱穀容量を高めた脱穀選別装置を提供する。【解決手段】扱室１１、前排塵処理室１６、後排塵処理室１４、前二番処理室１９及び後二番処理室２３の下方には揺動選別棚２９を配設し、前記揺動選別棚２９で選別された二番物を二番揚穀機３５により前記前二番処理室１９の後側端部に揚穀還元するように構成し、前記前排塵処理胴１７、後排塵処理胴１５及び後二番処理胴２３の処理歯を不連続の処理歯で構成し、前記前二番処理胴２０の処理歯を連続状のラセン処理歯で構成する。【選択図】図２
2007312732.tif 000002
【特許請求の範囲】
【請求項１】
扱室（１１）内には前後方向の扱胴軸回りに回転する扱胴（１２）を設け、前記扱室（１１）の左右一側には前後方向の軸回りに回転し且つ前記扱室（１１）の受網（１３）から漏過した脱穀処理物を後側に送りながら脱穀処理する処理歯付き前排塵処理胴（１７）の内装されている前排塵処理室（１６）を設け、該前排塵処理室（１６）の後方には前後方向の軸回りに回転し且つ前記扱室（１１）後部からの脱穀処理物を受入れ後側に送りながら脱穀処理するする処理歯付き後排塵処理胴（１５）の内装されている後排塵処理室（１４）を設け、前記前排塵処理室（１６）の下方には、前後方向の処理軸回りに回転し且つ前記前排塵処理室（１６）後部からの脱穀処理物を受入れ前側に送りながら脱穀処理する処理歯付き前二番処理胴（２０）の内装している前二番処理室（１９）を設け、前記後排塵処理室（１４）の下方には前後方向の処理軸回りに回転し且つ前記後排塵処理室（１４）からの漏過した脱穀処理物を前側に送りながら脱穀処理する処理歯付き後二番処理胴（２３）の内装している後二番処理室（２２）を設け、前記前二番処理室（１９）と前記後二番処理室（２３）とを連通状態に構成し、前記扱室（１１）、前排塵処理室（１６）、後排塵処理室（１４）、前二番処理室（１９）及び後二番処理室（２３）の下方には揺動選別棚（２９）を配設し、前記揺動選別棚（２９）で選別された二番物を二番揚穀機（３５）により前記前二番処理室（１９）の後側端部に揚穀還元するように構成し、前記前排塵処理胴（１７）、後排塵処理胴（１５）及び後二番処理胴（２３）の処理歯を不連続の処理歯で構成し、前記前二番処理胴（２０）の処理歯を連続状のラセン処理歯で構成したことを特徴とする脱穀選別装置。
【請求項２】
前記前排塵処理室（１６）の底板（１６ａ）を有孔の受網により構成し、前記後二番処理室（２２）の底板（２２ａ）を無孔の板体により構成し、前記前二番処理室（１９）の底板（１９ｂ）を有孔の受網により構成したことを特徴とする請求項１記載の脱穀選別装置。
【発明の詳細な説明】
【技術分野】
【０００１】
この発明は、コンバイン等の脱穀選別装置に関するものである。
【背景技術】
【０００２】
コンバインの脱穀選別装置において、扱室の一側上部に排塵処理室を、扱室の一側下部に二番処理室をそれぞれ配設し、扱室の終端部から排塵処理室に脱穀処理物を供給し、排塵処理室からの漏下物を下方の二番処理室に供給し、二番処理室では二番処理胴により前側に搬送しながら脱穀処理して揺動選別棚の前側部に供給するように構成したものは公知である（特許文献１）。
【特許文献１】特開２００５−１１０６９０号公報
【発明の開示】
【発明が解決しようとする課題】
【０００３】
前記従来技術のものでは、狭い二番処理室では扱室からの排塵物及び二番揚穀機で揚穀還元された二番物を脱穀処理するため、二番物の脱穀処理が不十分となり二番物の循環回数が増えたり、二番処理室で詰まりが生じるという不具合があった。そこで、この発明は二番揚穀機から二番物の揚穀還元される二番処理室には扱室からの脱穀処理物を熟れた状態で供給することにより、二番物の脱穀処理を円滑にし、前記不具合を解消しようとするものである。
【課題を解決するための手段】
【０００４】
請求項１の発明は、扱室１１内には前後方向の扱胴軸回りに回転する扱胴１２を設け、前記扱室１１の左右一側には前後方向の軸回りに回転し且つ前記扱室１１の受網１３から漏過した脱穀処理物を後側に送りながら脱穀処理する処理歯付き前排塵処理胴１７の内装されている前排塵処理室１６を設け、該前排塵処理室１６の後方には前後方向の軸回りに回転し且つ前記扱室１１後部からの脱穀処理物を受入れ後側に送りながら脱穀処理するする処理歯付き後排塵処理胴１５の内装されている後排塵処理室１４を設け、前記前排塵処理室１６の下方には、前後方向の処理軸回りに回転し且つ前記前排塵処理室１６後部からの脱穀処理物を受入れ前側に送りながら脱穀処理する処理歯付き前二番処理胴２０の内装している前二番処理室１９を設け、前記後排塵処理室１４の下方には前後方向の処理軸回りに回転し且つ前記後排塵処理室１４からの漏過した脱穀処理物を前側に送りながら脱穀処理する処理歯付き後二番処理胴２３の内装している後二番処理室２２を設け、前記前二番処理室１９と前記後二番処理室２３とを連通状態に構成し、前記扱室１１、前排塵処理室１６、後排塵処理室１４、前二番処理室１９及び後二番処理室２３の下方には揺動選別棚２９を配設し、前記揺動選別棚２９で選別された二番物を二番揚穀機３５により前記前二番処理室１９の後側端部に揚穀還元するように構成し、前記前排塵処理胴１７、後排塵処理胴１５及び後二番処理胴２３の処理歯を不連続の処理歯で構成し、前記前二番処理胴２０の処理歯を連続状のラセン処理歯で構成したことを特徴とする脱穀選別装置とする。
【０００５】
前記構成によると、後排塵処理室１４では扱室１１後部からの脱穀処理物が不連続の処理歯付き後排塵処理胴１５により後側に送られながら脱穀処理され、また、前排塵処理室１６では扱室１１の受網１３から漏過供給された脱穀処理物が不連続の処理歯付き前排塵処理胴１７により後側に送られながら脱穀処理され、後二番処理室２２では後排塵処理室１４から漏過供給された脱穀処理物が不連続の処理歯付き後二番処理胴２３により前側に送られながら脱穀処理され、前二番処理室１９の後側端部には前排塵処理室１６からの脱穀処理物、後二番処理室２２からの脱穀処理物及び二番揚穀機３５からの二番物が供給され、連続状のラセン処理歯付き前二番処理胴２０により前側に送られながら脱穀処理され、揺動選別棚２９の前側部に供給される。
【０００６】
請求項２の発明は、前記前排塵処理室１６の底板１６ａを有孔の受網により構成し、前記後二番処理室２２の底板２２ａを無孔の板体により構成し、前記前二番処理室１９の底板１９ｂを有孔の受網により構成したことを特徴とする請求項１記載の脱穀選別装置とする。
【０００７】
前記構成によると、請求項１の発明の前記作用に加えて、前排塵処理室１６及び前二番処理室１９では脱穀処理物の漏過を促進しながら脱穀処理され、後二番処理室２２では脱穀処理物の熟れを促進しながら脱穀処理される。
【発明の効果】
【０００８】
請求項１の発明は、扱室１１からの脱穀処理物が後排塵処理室１４、前排塵処理室１６及び後二番処理室２２により分散して脱穀処理された後に前二番処理室１９に供給されるので、前二番処理室１９では二番揚穀機３５からの還元二番物を脱穀処理することができ、小さな空間構成でありながら脱穀容量を高めることができ、また、揺動選別棚２９には熟れた脱穀処理物を供給することができて穀粒の飛散を減少しながら選別性能を高めることができる。また、前排塵処理胴１７、後排塵処理胴１５及び後二番処理胴２３の処理歯を不連続の処理歯で構成し、前二番処理胴２０の処理歯を連続状のラセン処理歯で構成したので、後排塵処理室１４、前排塵処理室１６及び後二番処理室２２では枝梗類や穂切れ粒を細断し脱穀処理を促進することができ、前二番処理室１９では二番揚穀機３５により揚穀還元された二番物の脱穀負荷を抑制しながら脱穀処理することができる。
【０００９】
請求項２の発明は、請求項１の発明の前記効果に加えて、後二番処理室２２では脱穀処理物の熟れを促進し、前排塵処理室１６及び前二番処理室１９では脱穀処理物の漏過を促進しながら脱穀処理をすることができ、また、前二番処理室１９の受網から漏過物を揺動選別棚２９の前側部に落下供給し、揺動選別棚２９の前後の供給量を均等化し選別精度を高めることができる。
【発明を実施するための最良の形態】
【００１０】
以下、図面に示すこの発明の実施の形態について説明する。
図１にはコンバイン１の全体側面図が図示されている。コンバイン１の走行車台２の下方には、土壌面を走行する左右一対の走行クローラ３，３を配設し、走行車台２上には、右側前部に操縦席４を、左側前部に脱穀部５を、操縦席４の後方にグレンタンク６を、脱穀部５及びグレンタンク６の後方に排稾処理装置７をそれぞれ配設している。脱穀部５の前方には、植立穀稈を引越しながら刈り取り後方の脱穀部５に向けて搬送する刈取搬送部８を昇降自在に設けている。
【００１１】
次に、図２及び図３に基づき脱穀部５について説明する。図２は脱穀部５の切断側面図、図３は脱穀部５の切断正面図である。
扱室１１内には前後方向の扱胴軸１２ａにより扱胴１２を軸架し、扱胴１２の周面には多数の扱歯１２ｂ，…を取り付け、扱胴１２の下部外周を受網１３で覆っている。扱室１１の右側方（図３の左側）には前排塵処理室１６及び後排塵処理室１４を前後方向に沿うように設け、前排塵処理室１６と後排塵処理室１４との間を仕切壁１６ｂにより仕切っている。前排塵処理室１６内には前後方向の前排塵処理胴軸１７ａにより処理歯１７ｂ，…付き前排塵処理胴１７を軸架している。
【００１２】
また、後排塵処理室１４内には前後方向の後排塵処理胴軸１５ａにより処理歯１５ｂ，…付きの後排塵処理胴１５を軸架し、前排塵処理胴軸１７ａと後排塵処理胴軸１５ａとを同一軸心状に連結し一体的に回転駆動するように構成し、前排塵処理胴１５の前側端部を扱室１１からの連通口に臨ませている。前排塵処理室１６の前排塵処理胴１７の下方を無孔あるいは有孔の底板１６ａで覆い、後排塵処理室１４の後排塵処理胴１５の下方を受網１４ａで覆っている。
【００１３】
また、前排塵処理室１６及び後排塵処理室１４の下方には前二番処理室１９及び後二番処理室２２を連通状態にして設け、前二番処理室１９内には前後方向の前二番処理胴軸２０ａにより処理歯２０ｂ，…付きの前二番処理胴２０を軸架し、処理歯２０ｂをラセン状の連続した処理歯に構成している。そして、前二番処理室１９の前二番処理胴２０の下部外周に無孔あるいは有孔の底板１９ｂを沿うように設け、前二番処理胴２０の左側上方の開口部には前記受網１３が対向して設けられていて、扱室１１から脱穀処理物が漏過供給されるように構成している。また、前二番処理室１９の後側端部の仕切壁１６ｂの前側部に二番揚穀機３５からの二番物を揚穀還元するように構成している。
【００１４】
また、後二番処理室２２内には前後方向の後二番処理胴軸２３ａにより処理歯２３ｂ，…付きの後二番処理胴２３を軸架している。そして、後二番処理室２２の後二番処理胴２３の下部外周に無孔の底板２２ａを沿うように配設している。また、前排塵処理胴１７及び後排塵処理胴１５、並びに、前二番処理胴２０及び後二番処理胴２３の前側部あるいは後側部には、脱穀伝動装置（図示省略）を経て回転動力が伝達され、また、脱穀伝動装置には無段変速装置（図示省略）が設けられていて、回転数を増減調節するように構成している。
【００１５】
また、前排塵処理胴１７及び前二番処理胴２０の扱室１１に近い側を上側に向けて回転するようにし、また、扱胴１２の前排塵処理胴１７に近い側を上側に向けて回転するように構成している。扱室１１の左側方（図３では右側）には脱穀用穀稈を移送するフィードチエン（図示省略）を設け、フィードチエン（図示省略）の搬送下手側には排藁搬送装置（図示省略）を設け、脱穀済み排藁を後方の排稾処理装置７に搬送するように構成している。
【００１６】
しかして、前排塵処理室１６には扱室１１の右側（図３の左側）の受網１３から漏過した脱穀処理物が供給され、前排塵処理胴１７により後側に送られながら脱穀処理され、排出口１６ｃから前二番処理室１９の後側端部に落下供給される。また、後排塵処理室１４には扱室１１後端部の連通口から排塵物が送り込まれ、後排塵処理胴１５により後側に送られながら脱穀処理され、後側端部の排出口から揺動選別棚２９の後部に落下供給される。
【００１７】
また、後二番処理室２２には上方の後排塵処理室１４から漏過した脱穀処理物が供給され、後二番処理胴２３の処理歯２３ｂ，…により前側に送りながら脱穀処理され、前二番処理室１９の後側端部に供給される。また、前二番処理室１９では後側から送られた脱穀処理物と後述の二番揚穀機３５から揚穀還元された二番物が混合供給され前側に送られながら脱穀処理され、前二番処理室１９の前側端部から後述の揺動選別棚２９の前側部に落下供給され選別される。
【００１８】
また、扱室１１の下方から後方にかけて選別部２６を設けている。選別部２６の前側部の唐箕２７から選別風路２８に後側に流れるように選別風を送り、選別風路２８には前後斜め上下に往復揺動する揺動選別棚２９を配設している。揺動選別棚２９の上側部には、前側から後側に向けてグレンパン２９ａ、チャフシーブ２９ｂ及びストローラック２９ｃからなる粗選別部を構成し、揺動選別棚２９の下側部には前側から後側に向けて下部グレンパン２９ｄ及び網体の下部グレンシーブ２９ｅからなる精選別部を構成している。そして、扱室１１、後排塵処理室１４及び前二番処理室１９から落下供給される脱穀処理物を受けて、後側に揺動移送しながら比重選別するように構成している。
【００１９】
選別風路２８の底部前側部に選別一番穀粒を受ける一番ラセン３１ａ付きの一番受樋３１を設け、底部後側部に選別二番物を受ける二番ラセン３２ａ付きの二番受樋３２を設け、また、選別風路２８の後側終端部で且つ揺動選別棚２９の後端側上方部位に横断流ファン３３を配設し、揺動選別棚２９で選別されながら後側に送られる軽い藁屑類、及び、後排塵処理室１４から排出される軽い藁屑類を機外に吸引排出するように構成している。
【００２０】
また、一番受樋３１に選別された穀粒は一番揚穀機（図示省略）により前記グレンタンク６に揚穀収納され、また、二番受樋３２に選別された二番物は二番揚穀機３５により揚穀されて前二番処理室１９の後側端部に供給され、前二番処理胴２０の処理歯２０ｂ，…により前側に送られながら脱穀処理され、前二番処理室１９の前側部から揺動選別棚２９の前側部に落下供給され選別される。
【００２１】
前記構成によると、フィードチエン（図示省略）により穀稈が扱室１１に供給されると、回転している扱胴１２の扱歯１２ｂ，…と受網１３により脱穀され、受網１３から漏過した穀粒や枝梗、穂切れ粒は揺動選別棚２９の前側部に落下し選別される。また、比較的大きな藁屑類の多い脱穀処理物は扱室１１の後側端部から連通口を経て後排塵処理室１４に送られ、後排塵処理胴１５の処理歯１５ｂ，…により後側に送られながら脱穀処理され、後部の排出口から揺動選別棚２９の後側部に落下し選別される。
【００２２】
また、扱室１１で脱穀処理中の一部の枝梗粒や穂切れ粒は受網１３を通って前排塵処理室１６に漏過供給され、前排塵処理胴１７の処理歯１７ｂ，…により後側に送られながら脱穀処理され、下方の前二番処理室１９の後側部に供給される。前二番処理室１６では前二番処理胴２０により前側に送られながら脱穀処理され、前側部から揺動選別棚２９の前側部に落下供給され選別される。
【００２３】
また、後排塵処理室１４では脱穀処理物の一部が下方の後二番処理室２２に漏過供給され、後二番処理胴２３の処理歯２３ｂ，…により前側に送られながら脱穀処理されて前二番処理室１９の後側端部に供給される。また、揺動選別棚２９により選別された二番物は二番揚穀機３５により揚穀還元されて前二番処理室１９の後側部に供給される。これらの脱穀処理物は前二番処理胴２０の処理歯２０ｂ，…により前側に送られながら脱穀処理され、前二番処理室１９の前側部から揺動選別棚２９の前側部に落下供給されて選別される。
【００２４】
前記構成によると、扱室１１の脱穀処理物を後排塵処理室１４、後二番処理室２２及び前排塵処理室１６に分散しながら脱穀処理し熟れた状態で前二番処理室１９に供給することができるので、前二番処理室１９では揺動選別棚２９からの二番物を脱穀処理することができ、小さな空間構成でありながら脱穀容量を高めることができ、また、揺動選別棚２９の前側部には熟れた脱穀処理物を供給することができて、穀粒の飛散を抑制しながら選別性能を高めることができる。
【００２５】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させて不連続状に配設した構成とし、前二番処理胴２０の処理歯２０ｂ，…を連続したラセン処理歯により構成すると、脱穀処理物中の枝梗類や穂切れ粒を細断し脱穀処理を促進することができ、前二番処理室１９では二番揚穀機３５により揚穀還元された二番物は脱穀負荷を抑制し穀粒の脱ぷを抑制しながら脱穀処理することができる。
【００２６】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを有孔の受網により構成し、後二番処理室２２の底板２２ａを無孔の板体により構成し、前二番処理室１９の底板を有孔の受網により構成するようにしてもよい。
【００２７】
前記構成によると、前排塵処理室１６では脱穀処理物の漏過を促進しながら脱穀処理し、後二番処理室２２では脱穀処理物の熟れを促進しながら脱穀処理し、前二番処理室１９では脱穀処理物の漏過を促進しながら脱穀処理することができる。また、前二番処理室１９の受網から漏過物を揺動選別棚２９の前側部に落下供給し、揺動選別棚２９の前後の供給量を均等化し選別精度を高めることができる。
【００２８】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを有孔の受網で構成し、後二番処理室２２の底板２２ａ及び前二番処理室１９の底板を無孔の板体で構成してもよい。
【００２９】
前記構成によると、前排塵処理室１６では脱穀処理物の漏過を促進しながら脱穀処理し、後二番処理室２２では脱穀処理物の熟れを促進し、前二番処理室１９では脱穀処理物の穀粒の脱ぷを抑制しながら脱穀処理し、前二番処理室１９の前側端部の還元口から脱穀処理物を揺動選別棚２９の前側部に落下供給し、揺動選別棚２９の前後の供給量を均等化し選別精度を高めることができる。
【００３０】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを無孔の板体で構成し、後二番処理室２２の底板２２ａ及び前二番処理室１９の底板を無孔の板体で構成してもよい。
【００３１】
前記構成によると、前排塵処理室１６では脱穀処理物を熟れた状態で前二番処理室１９の後側端部に供給し、後二番処理室２２では脱穀処理物の熟れを促進し、前二番処理室１９では脱穀処理物中の穀粒の脱ぷを抑制しながら脱穀処理して、前二番処理室１９の前側端部の還元口から脱穀処理物を揺動選別棚２９の前側部に落下供給し、揺動選別棚２９の前後の供給量を均等化し選別精度を高めることができる。
【００３２】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを有孔の受網で構成し、後二番処理室２２の底板２２ａを無孔の板体で構成し、前二番処理室１９の底板１９ｂを有孔の受網で構成し、且つ、前排塵処理室１６の受網の目合いを、前二番処理室１９の受網の目合いよりも大きく構成してもよい。
【００３３】
前記構成によると、前排塵処理室１６と前二番処理室１９では脱穀処理物を大きなものから小さなものへ段階的に処理することができ、また、後二番処理室２２では脱穀処理物の熟れを促進し、前二番処理室１９では二番物及び脱穀処理物の漏過を促進しながら脱穀処理して揺動選別棚２９の前側部に供給し、揺動選別棚２９の前後の供給量を均等化し選別精度を高めることができる。
【００３４】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを有孔の受網で構成し、後二番処理室２２の底板２２ａを無孔の板体で構成し、前二番処理室１９の底板１９ｂを有孔の受網で構成し、且つ、前排塵処理室１６の受網の目合いを、前二番処理室１９の受網の目合いよりも小さく構成してもよい。
【００３５】
前記構成によると、前排塵処理室１６では脱穀処理物の熟れたものを漏過しながら脱穀処理し、後二番処理室２２では脱穀処理物の熟れを促進し、前二番処理室１９では脱穀処理物の漏過を促進しながら脱穀処理して揺動選別棚２９の前側部に供給し、揺動選別棚２９の前後の供給量を均等化し選別精度を高めることができる。
【００３６】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを有孔の受網で構成するにあたり、前側部の脱穀始端側の目合いを大きく後側部の脱穀終端側の目合いを小さく構成し、後二番処理室２２の底板２２ａを無孔の板体で構成し、前二番処理室１９の底板１９ｂを有孔の受網で構成してもよい。
【００３７】
前記構成によると、前排塵処理室１６ではその前側部から前二番処理室１９に穀粒の漏過を促進しながら脱穀処理し、また、後二番処理室２２では脱穀処理物の熟れを促進して前二番処理室１９に供給し、前二番処理室１９では揚穀還元された二番物及び後二番処理室２２からの脱穀処理物を漏過を促進しながら脱穀処理して揺動選別棚２９の前側部に供給し、揺動選別棚２９の前後の供給量を均等化し選別精度を高めることができる。
【００３８】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを有孔の受網で構成するにあたり、前側部の脱穀始端側の目合いを小さく後側部の脱穀終端側の目合いを大きく構成し、後二番処理室２２の底板２２ａを無孔の板体で構成し、前二番処理室１９の底板１９ｂを有孔の受網で構成してもよい。
【００３９】
前記構成によると、前排塵処理室１６では脱穀処理物の熟れを良くし漏過を円滑にしながら脱穀処理し、また、後二番処理室２２では脱穀処理物の熟れを促進し、前二番処理室１９では揚穀還元された二番物及び後二番処理室２２からの脱穀処理物を漏過を促進しながら脱穀処理して揺動選別棚２９の前側部に供給し、揺動選別棚２９の前後の供給量を均等化し選別精度を高めることができる。
【００４０】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを構成するにあたり、前側部の脱穀始端側では無孔の板体とし、後側部の脱穀終端側では有孔の受網により構成し、後二番処理室２２の底板２２ａを無孔の板体で構成し、前二番処理室１９の底板１９ｂを有孔の受網で構成してもよい。
【００４１】
前記構成によると、前排塵処理室１６では脱穀処理物の熟れを良くし漏過を促進しながら脱穀処理し、また、後二番処理室２２では脱穀処理物の熟れを促進し、前二番処理室１９では揚穀還元された二番物及び後二番処理室２２からの脱穀処理物を漏過を促進しながら脱穀処理して揺動選別棚２９の前側部に供給し、揺動選別棚２９の前後の供給量を均等化し選別精度を高めることができる。
【００４２】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを構成するにあたり、前側部の脱穀始端側を有孔の受網により構成し、後側部の脱穀終端側を無孔の板体により構成し、後二番処理室２２の底板２２ａを無孔の板体で構成し、前二番処理室１９の底板１９ｂを有孔の受網で構成してもよい。
【００４３】
前記構成によると、前排塵処理室１６ではその前側部から穀粒の漏過を促進しながら脱穀処理することができ、また、後二番処理室２２では脱穀処理物の熟れを促進し、前二番処理室１９では揚穀還元された二番物及び後二番処理室２２からの脱穀処理物を漏過を促進しながら脱穀処理して揺動選別棚２９の前側部に供給し、揺動選別棚２９の前後の供給量を均等化し選別精度を高めることができる。
【００４４】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを構成するにあたり、前側部の脱穀始端側を有孔の受網により構成し、後側部の脱穀終端側を無孔の板体により構成し、後二番処理室２２の底板２２ａを無孔の板体で構成し、前二番処理室１９の底板１９ｂを無孔の板体で構成してもよい。
【００４５】
前記構成によると、前排塵処理室１６ではその前側部から穀粒の漏過を促進しながら脱穀処理し、後二番処理室２２では脱穀処理物の熟れを促進し、前二番処理室１９では揚穀還元された二番物及び後二番処理室２２からの脱穀処理物を、穀粒の脱ぷを抑制し熟れを促進しながら脱穀処理して揺動選別棚２９の前側部に供給し、揺動選別棚２９の前後の供給量を均等化し選別精度を高めることができる。
【００４６】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを構成するにあたり、前側部の脱穀始端側を無孔の板体により構成し、後側部の脱穀終端側を有孔の受網により構成し、後二番処理室２２の底板２２ａを無孔の板体で構成し、前二番処理室１９の底板１９ｂを無孔の板体で構成してもよい。
【００４７】
前記構成によると、前排塵処理室１６では脱穀処理物の熟れを促進し漏過を促進しながら脱穀処理し、後二番処理室２２では脱穀処理物の熟れを促進し、前二番処理室１９では揚穀還元された二番物及び後二番処理室２２からの脱穀処理物を、穀粒の脱ぷを抑制し熟れを促進しながら脱穀処理して揺動選別棚２９の前側部に供給し、揺動選別棚２９の前後の供給量を均等化し選別精度を高めることができる。
【００４８】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを構成するにあたり、前側部の脱穀始端側を目合いの大きな受網により構成し、後側部の脱穀終端側を目合いの小さな受網により構成し、後二番処理室２２の底板２２ａを無孔の板体で構成し、前二番処理室１９の底板１９ｂを無孔の板体で構成してもよい。
【００４９】
前記構成によると、前排塵処理室１６では全域にわたって漏過の促進をしながら脱穀処理し、後二番処理室２２では脱穀処理物の熟れを促進し、前二番処理室１９では二番揚穀機３５からの二番物板の受入れを円滑化し、揚穀還元された二番物及び後二番処理室２２からの脱穀処理物を、穀粒の脱ぷを抑制し熟れを促進しながら脱穀処理して揺動選別棚２９の前側部に供給し、揺動選別棚２９の前後の供給量を均等化し選別精度を高めることができる。
【００５０】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを構成するにあたり、前側部の脱穀始端側を目合いの小さな受網により構成し、後側部の脱穀終端側を目合いの大きな受網により構成し、後二番処理室２２の底板２２ａを無孔の板体で構成し、前二番処理室１９の底板１９ｂを無孔の板体で構成してもよい。
【００５１】
前記構成によると、前排塵処理室１６では熟れを良くし漏過を促進しながら脱穀処理し、後二番処理室２２では脱穀処理物の熟れを促進し、前二番処理室１９では二番揚穀機３５からの二番物板の受入れを円滑化し、揚穀還元された二番物及び後二番処理室２２からの脱穀処理物を、穀粒の脱っぷを抑制し熟れを促進しながら脱穀処理して揺動選別棚２９の前側部に供給し、揺動選別棚２９の前後の供給量を均等化し選別精度を高めることができる。
【００５２】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを有孔の受網で構成し、後二番処理室２２の底板２２ａを無孔の板体で構成し、前二番処理室１９の底板１９ｂを無孔の板体あるいは有孔の受網で構成し、前排塵処理胴１７の処理歯先端の回転速度を、前二番処理胴２０及び後二番処理胴２３の処理歯先端の回転速度よりも遅く構成してもよい。
【００５３】
前記構成によると、前排塵処理室１６では脱穀処理物中の穀粒の脱っぷを抑制しながら脱穀処理し、後二番処理室２２及び前二番処理室１９では脱穀処理物の熟れを促進しながら脱穀処理して揺動選別棚２９の前側部に落下供給し、揺動選別棚２９の前後の供給量を均等化し選別精度を高めることができる。
【００５４】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを有孔の受網で構成し、後二番処理室２２の底板２２ａを無孔の板体で構成し、前二番処理室１９の底板１９ｂを無孔の板体あるいは有孔の受網で構成し、前排塵処理胴１７の処理歯先端の回転速度を、前二番処理胴２０及び後二番処理胴２３の処理歯先端の回転速度よりも速くするように構成してもよい。
【００５５】
前記構成によると、前排塵処理室１６では脱穀処理物の熟れを良くしながら漏過を促進し、後二番処理室２２及び前二番処理室１９では脱穀処理物中の穀粒の脱ぷを抑制しながら脱穀処理して揺動選別棚２９の前側部に落下供給し、揺動選別棚２９の前後の供給量を均等化し選別精度を高めることができる。
【００５６】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを有孔の受網で構成し、後二番処理室２２の底板２２ａを無孔の板体で構成し、前二番処理室１９の底板１９ｂを有孔の受網で構成し、前排塵処理胴１７の処理歯先端の回転速度を、前二番処理胴２０及び後二番処理胴２３の処理歯先端の回転速度よりも遅く構成してもよい。
【００５７】
前記構成によると、前排塵処理室１６では穀粒の脱ぷを抑制し漏過を促進しながら脱穀処理し、後二番処理室２２では脱穀処理物を熟れを良くしながら前二番処理室１９に送り込み、前二番処理室１９では脱穀処理物の熟れを促進し漏過を促進しながら脱穀処理して揺動選別棚２９の前側部に落下供給し、揺動選別棚２９の前後の供給量を均等化し選別精度を高めることができる。
【００５８】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを有孔の受網で構成し、後二番処理室２２の底板２２ａを無孔の板体で構成し、前二番処理室１９の底板１９ｂを有孔の受網で構成し、前排塵処理胴１７の処理歯先端の回転速度を、前二番処理胴２０及び後二番処理胴２３の処理歯先端の回転速度よりも速くするように構成してもよい。
【００５９】
前記構成によると、前排塵処理室１６では熟れを良くし漏過を促進しながら脱穀処理し、後二番処理室２２及び前二番処理室１９では穀粒の脱ぷを抑制しながら脱穀処理して揺動選別棚２９の前側部に供給し、揺動選別棚２９の前後の供給量を均等化し選別精度を高めることができる。
【００６０】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを構成するにあたり、前側部の脱穀始端側では無孔の板体とし、後側部の脱穀終端側では有孔の受網により構成し、後二番処理室２２の底板２２ａを無孔の板体で構成し、前二番処理室１９の底板１９ｂを有孔の受網で構成し、前排塵処理胴１７の処理歯１７ｂの先端回転速度を、前二番処理胴２０及び後二番処理胴２３の処理歯の先端回転速度よりも速く構成してもよい。
【００６１】
前記構成によると、前排塵処理室１６では脱穀処理物の熟れを良く漏過を促進しながら脱穀処理し、後二番処理室２２では脱穀処理物中の穀粒の脱ぷを抑制しながら熟れを促進し、前二番処理室１９では揚穀還元された二番物及び後二番処理室２２からの脱穀処理物を漏過を促進しながら脱穀処理して揺動選別棚２９の前側部に供給し、揺動選別棚２９の前後の供給量を均等化し選別精度を高めることができる。
【００６２】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを有孔の受網で構成し、前二番処理室１９の底板１９ｂ及び後二番処理室２２の底板２２ａを無孔の板体で構成し、前排塵処理胴１７の処理歯先端の回転速度を、前二番処理胴２０及び後二番処理胴２３の処理歯先端の回転速度よりも遅く構成してもよい。
【００６３】
前記構成によると、前排塵処理室１６では脱穀処理物中の穀粒の脱ぷを抑制し漏過を促進しながら脱穀処理し、後二番処理室２２では脱穀処理物を熟れを良くしながら前二番処理室１９に送り込み、前二番処理室１９では脱穀処理物の熟れを促進しながら脱穀処理して揺動選別棚２９の前側部に落下供給し、揺動選別棚２９の前後の供給量を均等化し選別精度を高めることができる。
【００６４】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａの前側部の脱穀始端側を有孔の受網により構成し、後側部の脱穀終端側を無孔の板体で構成し、後二番処理室２２の底板２２ａを無孔の板体で構成し、前二番処理室１９の底板１９ｂを無孔の板体で構成し、前排塵処理胴１７の処理歯先端の回転速度を、前二番処理胴２０及び後二番処理胴２３の処理歯先端の回転速度よりも遅く構成してもよい。
【００６５】
前記構成によると、前排塵処理室１６ではその前側部から穀粒の漏過を促進し穀粒の脱ぷを抑制しながら脱穀処理し、後二番処理室２２では熟れを良くしながら脱穀処理し、前二番処理室２２では穀粒の脱ぷ率を抑制しながら熟れを促進して揺動選別棚２９の前側部に落下供給し、揺動選別棚２９の前後の供給量を均等化し選別精度を高めることができる。
【００６６】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを構成するにあたり、前側部の脱穀始端側では有孔の受網とし、後側部の脱穀終端側では無孔の板体により構成し、後二番処理室２２及び前二番処理室１９の底板１９ｂを無孔の板体で構成し、前排塵処理胴１７の処理歯１７ｂの先端回転速度を、前二番処理胴２０及び後二番処理胴２３の処理歯の先端回転速度よりも速く構成してもよい。
【００６７】
前記構成によると、前排塵処理室１６ではその前側部で穀粒の漏過を促進し熟れを良くしながら脱穀処理し、また、後二番処理室２２では穀粒の脱ぷを抑制しながら脱穀処理し、前二番処理室１９では揚穀還元された二番物及び後二番処理室２２からの脱穀処理物を、穀粒の脱ぷを抑制しながら脱穀処理して揺動選別棚２９の前側部に供給し、揺動選別棚２９の前後の供給量を均等化し選別精度を高めることができる。
【００６８】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａの前側部の脱穀始端側を有孔の受網により構成し、後側部の脱穀終端側を無孔の板体で構成し、後二番処理室２２の底板２２ａを無孔の板体で構成し、前二番処理室１９の底板１９ｂを有孔の受網により構成し、前排塵処理胴１７の処理歯先端の回転速度を、前二番処理胴２０及び後二番処理胴２３の処理歯先端の回転速度よりも遅く構成してもよい。
【００６９】
前記構成によると、前排塵処理室１６ではその前側部から穀粒の漏過を促進し穀粒の脱ぷを抑制しながら脱穀処理し、後二番処理室２２では脱穀処理物の熟れを促進し、前二番処理室１９では脱穀処理物の熟れを促進し漏過を促進しながら揺動選別棚２９の前側部に供給し、揺動選別棚２９の前後の供給量を均等化し選別精度を高めることができる。
【００７０】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを構成するにあたり、前側部の脱穀始端側では目合いの大きな受網とし、後側部の脱穀終端側では目合いの小さな受網により構成し、後二番処理室２２の底板２２ａを無孔の板体により構成し、前二番処理室１９の底板１９ｂを有孔の受網で構成し、前排塵処理胴１７の処理歯１７ｂの先端回転速度を、前二番処理胴２０及び後二番処理胴２３の処理歯の先端回転速度よりも速く構成してもよい。
【００７１】
前記構成によると、前排塵処理室１６ではその前側部で穀粒の漏過を促進し熟れを良くしながら脱穀処理し、後二番処理室２２では穀粒の脱ぷを抑制し熟れを促進しながら脱穀処理し、前二番処理室１９では揚穀還元された二番物及び後二番処理室２２からの脱穀処理物を、穀粒の脱ぷを抑制し漏過を促進しながら脱穀処理して揺動選別棚２９の前側部に供給し、揺動選別棚２９の前後の供給量を均等化し選別精度を高めることができる。
【００７２】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを構成するにあたり、前側部の脱穀始端側では目合いの小さな受網とし、後側部の脱穀終端側では目合いの大きな受網により構成し、後二番処理室２２の底板２２ａを無孔の板体により構成し、前二番処理室１９の底板１９ｂを有孔の受網で構成し、前排塵処理胴１７の処理歯１７ｂの先端回転速度を、前二番処理胴２０及び後二番処理胴２３の処理歯の先端回転速度よりも遅く構成してもよい。
【００７３】
前記構成によると、前排塵処理室１６では穀粒の脱ぷを抑制し漏過を促進しながら脱穀処理し、後二番処理室２２では脱穀処理物の熟れを促進し、前二番処理室１９では揚穀還元された二番物及び後二番処理室２２からの脱穀処理物を、熟れを促進し漏過を促進しながら脱穀処理して揺動選別棚２９の前側部に供給し、揺動選別棚２９の前後の供給量を均等化し選別精度を高めることができる。
【００７４】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを構成するにあたり、前側部の脱穀始端側では目合いの小さな受網とし、後側部の脱穀終端側では目合いの大きな受網により構成し、後二番処理室２２の底板２２ａを無孔の板体により構成し、前二番処理室１９の底板１９ｂを有孔の受網で構成し、前排塵処理胴１７の処理歯１７ｂの先端回転速度を、前二番処理胴２０及び後二番処理胴２３の処理歯の先端回転速度よりも速く構成してもよい。
【００７５】
前記構成によると、前排塵処理室１６では脱穀処理物の熟れを良くしながら前二番処理室１９の前側部への穀粒の漏過を円滑にし、後二番処理室２２では穀粒の脱ぷを抑制しながら脱穀処理し、前二番処理室１９では揚穀還元された二番物及び後二番処理室２２からの脱穀処理物を、穀粒の脱ぷを抑制し漏過を促進しながら脱穀処理して揺動選別棚２９の前側部に供給し、揺動選別棚２９の前後の供給量を均等化し選別精度を高めることができる。
【００７６】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを構成するにあたり、前側部の脱穀始端側では無孔の板体とし、後側部の脱穀終端側では有孔の受網により構成し、後二番処理室２２の底板２２ａを無孔の板体により構成し、前二番処理室１９の底板１９ｂを有孔の受網で構成し、前排塵処理胴１７の処理歯１７ｂの先端回転速度を、前二番処理胴２０及び後二番処理胴２３の処理歯の先端回転速度よりも遅く構成してもよい。
【００７７】
前記構成によると、前排塵処理室１６では穀粒の脱ぷを抑制しながら脱穀処理して前二番処理室１９の後側部への漏過を円滑にし、後二番処理室２２では脱穀処理物の熟れを促進し、前二番処理室１９では揚穀還元された二番物及び後二番処理室２２からの脱穀処理物を、熟れ及び漏過を促進しながら脱穀処理して揺動選別棚２９の前側部に供給し、揺動選別棚２９の前後の供給量を均等化し選別精度を高めることができる。
【００７８】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを有孔の受網により構成し、後二番処理室２２の底板２２ａを無孔の板体により構成し、前二番処理室１９の底板１９ｂを有孔の受網で構成し、前排塵処理室１６の受網の目合いを前二番処理室１９の受網の目合いよりも大きく構成し、前排塵処理胴１７の処理歯１７ｂの先端回転速度を、前二番処理胴２０及び後二番処理胴２３の処理歯の先端回転速度よりも速く構成してもよい。
【００７９】
前記構成によると、前排塵処理室１６では脱穀処理物の熟れを良くしながら前二番処理室１９へ漏過を円滑にし、後二番処理室２２では穀粒の脱ぷを抑制しながら脱穀処理し、前二番処理室１９では揚穀還元された二番物及び後二番処理室２２からの脱穀処理物を、穀粒の脱ぷを抑制し漏過を促進しながら脱穀処理して揺動選別棚２９の前側部に供給し、揺動選別棚２９の前後の供給量を均等化し選別精度を高めることができる。
【００８０】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを有孔の受網により構成し、後二番処理室２２の底板２２ａを無孔の板体により構成し、前二番処理室１９の底板１９ｂを有孔の受網で構成し、前排塵処理室１６の受網の目合いを前二番処理室１９の受網の目合いよりも小さく構成し、前排塵処理胴１７の処理歯１７ｂの先端回転速度を、前二番処理胴２０及び後二番処理胴２３の処理歯の先端回転速度よりも遅く構成してもよい。
【００８１】
前記構成によると、前排塵処理室１６では穀粒の脱ぷを抑制し熟れを良くしながら前二番処理室１９への穀粒の漏過を円滑にし、後二番処理室２２では熟れを促進しながら脱穀処理し、前二番処理室１９では揚穀還元された二番物及び後二番処理室２２からの脱穀処理物を、熟れ及び漏過を促進しながら脱穀処理して揺動選別棚２９の前側部に供給し、揺動選別棚２９の前後の供給量を均等化し選別精度を高めることができる。
【００８２】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを有孔の受網により構成し、後二番処理室２２の底板２２ａを無孔の板体により構成し、前二番処理室１９の底板１９ｂを有孔の受網で構成し、前排塵処理室１６の受網の目合いを前二番処理室１９の受網の目合いよりも小さく構成し、前排塵処理胴１７の処理歯１７ｂの先端回転速度を、前二番処理胴２０及び後二番処理胴２３の処理歯の先端回転速度よりも速く構成してもよい。
【００８３】
前記構成によると、前排塵処理室１６では熟れを良くし前二番処理室１９へ漏過を円滑にしながら脱穀処理し、後二番処理室２２では穀粒の脱ぷを抑制しながら脱穀処理し、前二番処理室１９では揚穀還元された二番物及び後二番処理室２２からの脱穀処理物を、穀粒の脱ぷを抑制し漏過を促進しながら脱穀処理して揺動選別棚２９の前側部に供給し、揺動選別棚２９の前後の供給量を均等化し選別精度を高めることができる。
【００８４】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを構成するにあたり、前側部の脱穀始端側では目合いの大きな受網とし、後側部の脱穀終端側では目合いの小さな受網により構成し、後二番処理室２２の底板２２ａを無孔の板体により構成し、前二番処理室１９の底板１９ｂを有孔の受網で構成し、前排塵処理胴１７の処理歯１７ｂの先端回転速度を、前二番処理胴２０及び後二番処理胴２３の処理歯の先端回転速度よりも遅く構成してもよい。
【００８５】
前記構成によると、前排塵処理室１６では穀粒の脱ぷを抑制し前二番処理室１９への穀粒の漏過を円滑にしながら脱穀処理し、後二番処理室２２では熟れを促進しながら脱穀処理し、前二番処理室１９では揚穀還元された二番物及び後二番処理室２２からの脱穀処理物を、熟れ及び漏過を促進しながら脱穀処理して揺動選別棚２９の前側部に供給し、揺動選別棚２９の前後の供給量を均等化し選別精度を高めることができる。
【００８６】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを有孔の受網により構成し、後二番処理室２２及び前二番処理室１９の底板１９ｂを無孔の板体により構成し、前排塵処理胴１７の処理歯１７ｂの先端回転速度を、前二番処理胴２０及び後二番処理胴２３の処理歯の先端回転速度よりも遅く構成してもよい。
【００８７】
前記構成によると、前排塵処理室１６では穀粒の脱ぷを抑制し漏過を促進しながら脱穀処理し、後二番処理室２２では熟れを促進しながら脱穀処理し、前二番処理室１９では揚穀還元された二番物及び後二番処理室２２からの脱穀処理物を、熟れを促進しながら脱穀処理して揺動選別棚２９の前側部に供給し、揺動選別棚２９の前後の供給量を均等化し選別精度を高めることができる。
【００８８】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを無孔の板体により構成し、後二番処理室２２及び前二番処理室１９の底板１９ｂを無孔の板体により構成し、前排塵処理胴１７の処理歯１７ｂの先端回転速度を、前二番処理胴２０及び後二番処理胴２３の処理歯の先端回転速度よりも遅く構成してもよい。
【００８９】
前記構成によると、前排塵処理室１６では穀粒の脱ぷを抑制しながら脱穀処理して前二番処理室１９の後側端部に供給し、後二番処理室２２では熟れを促進しながら脱穀処理し、前二番処理室１９では揚穀還元された二番物及び後二番処理室２２からの脱穀処理物を、熟れを促進しながら脱穀処理して揺動選別棚２９の前側端部に供給し、揺動選別棚２９の前後の供給量を均等化し選別精度を高めることができる。
【００９０】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを無孔の板体により構成し、後二番処理室２２及び前二番処理室１９の底板１９ｂを無孔の板体により構成し、前排塵処理胴１７の処理歯１７ｂの先端回転速度を、前二番処理胴２０及び後二番処理胴２３の処理歯の先端回転速度よりも速く構成してもよい。
【００９１】
前記構成によると、前排塵処理室１６では熟れを良くしながら脱穀処理して前二番処理室１９の後側端部に供給し、後二番処理室２２では穀粒の脱ぷを抑制しながら脱穀処理し、前二番処理室１９では揚穀還元された二番物及び後二番処理室２２からの脱穀処理物を、穀粒の脱ぷを抑制しながら脱穀処理して揺動選別棚２９の前側端部に供給し、揺動選別棚２９の前後の供給量を均等化し選別精度を高めることができる。
【００９２】
また、図２及び図３の実施形態において、前排塵処理胴１７の処理歯１７ｂ，…、後排塵処理胴１５の処理歯１５ｂ，…及び後二番処理胴２３の処理歯２３ｂ，…を、例えば、小さな板体を多数離間させた不連続状の処理歯で構成し、前二番処理胴２０の処理歯２０ｂ，…を連続したラセン処理歯に構成し、前排塵処理室１６の底板１６ａを有孔の受網により構成し、後二番処理室２２の底板２２ａを無孔の板体により構成し、前二番処理室１９の底板１９ｂを有孔の受網により構成し、前排塵処理室１６の受網の目合いを前二番処理室１９の受網の目合いよりも大きく構成し、前排塵処理胴１７の処理歯１７ｂの先端回転速度を、前二番処理胴２０及び後二番処理胴２３の処理歯の先端回転速度よりも遅く構成してもよい。
【００９３】
前記構成によると、前排塵処理室１６では穀粒の脱ぷを抑制し漏過を促進しながら脱穀処理し、後二番処理室２２では熟れを促進しながら脱穀処理し、前二番処理室１９では揚穀還元された二番物及び後二番処理室２２からの脱穀処理物を、熟れ及び漏過を促進しながら脱穀処理して揺動選別棚２９の前側部に供給し、揺動選別棚２９の前後の供給量を均等化し選別精度を高めることができる。
【図面の簡単な説明】
【００９４】
【図１】コンバインの左側面図
【図２】脱穀選別装置の切断側面図
【図３】脱穀選別装置の切断正面図
【符号の説明】
【００９５】
１１    扱室
１２    扱胴
１２ｂ    扱歯
１３    受網
１４    後排塵処理室
１５    後排塵処理胴
１５ｂ    処理歯
１６    前排塵処理室
１６ａ    前排塵処理室１６の底板
１７    前排塵処理胴
１７ｂ    処理歯
１９    前二番処理室
１９ｂ    前二番処理室１９の底板
２０    前二番処理胴
２０ｂ    処理歯
２２    後二番処理室
２２ａ    後二番処理室２２の底板
２３    後二番処理胴
２３ｂ    処理歯
２９    揺動選別棚
３５    二番揚穀機
【図１】
2007312732.tif 000003
【図２】
2007312732.tif 000004
【図３】
2007312732.tif 000005